(57)【要約】【課題】映像に与える効果を最大限に発揮しつつ、電極の突起に起因する放電灯の寿命の低下を改善し得るプロジェクターを提供する。【解決手段】本発明のプロジェクターは、放電灯と、放電灯駆動部と、制御部と、光変調素子と、投写光学系と、を備えている。制御部は、絶対値が相対的に大きい駆動電流が放電灯に供給される高輝度期間と、絶対値が相対的に小さい駆動電流が放電灯に供給される低輝度期間と、を交互に繰り返し、第１高輝度期間の駆動電流、第１高輝度期間の直後の第１低輝度期間の駆動電流、および第１低輝度期間の直後の第２高輝度期間の駆動電流が同一の第１極性となる直流波形パターンを含む制御波形ユニットで構成される駆動電流波形に従って、放電灯駆動部を制御する。【選択図】図８
2014119602.tif 000002
【特許請求の範囲】
【請求項１】
光を射出する放電灯と、
前記放電灯を駆動する駆動電流を前記放電灯に供給する放電灯駆動部と、
前記放電灯駆動部を制御する制御部と、
前記放電灯から射出される光を映像信号に応じて変調する光変調素子と、
前記光変調素子により変調された光を被投写面上に投写する投写光学系と、
を備え、
前記制御部は、絶対値が相対的に大きい前記駆動電流が前記放電灯に供給される高輝度期間と、絶対値が相対的に小さい前記駆動電流が前記放電灯に供給される低輝度期間と、を交互に繰り返す制御波形ユニットであって、第１高輝度期間の前記駆動電流、前記第１高輝度期間の直後の第１低輝度期間の前記駆動電流、および前記第１低輝度期間の直後の第２高輝度期間の前記駆動電流が同一の第１極性となる直流波形パターンを含む前記制御波形ユニットで構成される駆動電流波形に従って、前記放電灯駆動部を制御することを特徴とするプロジェクター。
【請求項２】
前記制御波形ユニットが前記直流波形パターンと交流波形パターンとを含むことを特徴とする請求項１に記載のプロジェクター。
【請求項３】
前記映像信号が第１映像信号と第２映像信号とを含み、
前記光変調素子に前記第１映像信号が複数回書き込まれる第１映像期間と、前記光変調素子に前記第２映像信号が複数回書き込まれる第２映像期間と、が交互に繰り返され、
前記第１映像期間および前記第２映像期間の各々のうち、前記第１映像信号が書き込まれた前記光変調素子に前記第２映像信号を書き込む期間、もしくは、前記第２映像信号が書き込まれた前記光変調素子に前記第１映像信号を書き込む期間が前記低輝度期間であり、
前記第１映像信号が書き込まれた前記光変調素子に前記第１映像信号を書き込む期間、もしくは、前記第２映像信号が書き込まれた前記光変調素子に前記第２映像信号を書き込む期間が前記高輝度期間であることを特徴とする請求項１または２に記載のプロジェクター。
【請求項４】
前記第１映像期間が右眼用映像期間であり、前記第２映像期間が左眼用映像期間であることを特徴とする請求項３に記載のプロジェクター。
【請求項５】
前記制御波形ユニットは、前記第１高輝度期間の直前または前記第２高輝度期間の直後の第２低輝度期間の前記駆動電流が前記第１極性とは逆極性の第２極性となる波形パターンを含むことを特徴とする請求項１から４までのいずれか一項に記載のプロジェクター。
【請求項６】
前記制御部は、駆動電圧の上昇に伴って前記制御波形ユニットの全期間に占める前記直流波形パターンの適用期間の割合を大きくするように、前記放電灯駆動部を制御することを特徴とする請求項１から５までのいずれか一項に記載のプロジェクター。
【請求項７】
前記制御部は、駆動電圧の上昇に伴って前記制御波形ユニットの全期間に占める前記直流波形パターンの連続適用期間の割合を大きくするように、前記放電灯駆動部を制御することを特徴とする請求項６に記載のプロジェクター。
【請求項８】
前記制御波形ユニットは、前記第１高輝度期間の直前に前記第１極性とは逆極性の第２極性となる第２極性高輝度期間、前記第２高輝度期間の直後に前記第１極性とは逆極性の第２極性となる第２極性高輝度期間の少なくとも一方を有することを特徴とする請求項１から７までのいずれか一項に記載のプロジェクター。
【請求項９】
前記制御部は、駆動電圧の上昇に伴って前記第２極性高輝度期間を短くするように、もしくは、駆動電圧の上昇に伴って相対的に短い前記第２極性高輝度期間の適用期間の割合を大きくするように、前記放電灯駆動部を制御することを特徴とする請求項８に記載のプロジェクター。
【請求項１０】
請求項１から９までのいずれか一項に記載のプロジェクターと、右眼用シャッターと左眼用シャッターとを有するアクティブシャッターメガネと、を備えたプロジェクションシステムであって、
前記映像信号が右眼用映像信号と左眼用映像信号とを含み、
前記光変調素子に前記右眼用映像信号が書き込まれる右眼用映像期間と、前記光変調素子に前記左眼用映像信号が書き込まれる左眼用映像期間と、が交互に繰り返され、
前記光変調素子における前記右眼用映像期間と前記左眼用映像期間との切り替えと、前記アクティブシャッターメガネにおける前記右眼用シャッターと前記左眼用シャッターとの開閉動作の切り替えと、が同期していることを特徴とするプロジェクションシステム。
【請求項１１】
前記光変調素子において前記右眼用映像信号と前記左眼用映像信号とが混在する期間では、前記右眼用シャッターと前記左眼用シャッターとの双方を閉じることを特徴とする請求項１０に記載のプロジェクションシステム。
【発明の詳細な説明】
【技術分野】
【０００１】
本発明は、プロジェクターおよびプロジェクションシステムに関する。
【背景技術】
【０００２】
高圧水銀ランプなどの放電灯を用いて立体映像表示を実現した３Ｄ対応のプロジェクターが実用化されている。３Ｄ対応プロジェクターの一つの方式では、入力信号を左眼用信号と右眼用信号とに分けて順次交互に送り、左眼用映像と右眼用映像とを交互に投写する。観察者は、２つのシャッターが交互に開閉するアクティブシャッターメガネを装着して左眼用映像を左眼で、右眼用映像を右眼で選択的に見る。これにより、観察者は、自身が見ている映像を立体映像として認識する。ところが、上記のアクティブシャッターメガネを装着すると、観察者の眼に入る映像は、略半分の期間シャッターに遮られることになる。そのため、映像が暗くなるという問題が発生する。
【０００３】
この問題に対して、アクティブシャッターメガネと同期して放電灯を調光する方式を採用したプロジェクターが提案されている（例えば下記の特許文献１，２）。これらのプロジェクターは、メガネのシャッターを開いたときに放電灯の輝度を上げ、シャッターを閉じたときに放電灯の輝度を下げるという調光動作を行う。このような調光を行うと、放電灯の平均的な輝度を変えることなく、シャッターが閉じているときに輝度を低下させた分だけ、シャッターが開いているときの輝度を増加させることができる。これにより、観察者は明るい映像を視認することができる。
【先行技術文献】
【特許文献】
【０００４】
【特許文献１】特開２０１２−３２５０４号公報
【特許文献２】特開２０１２−１２９０４９号公報
【発明の概要】
【発明が解決しようとする課題】
【０００５】
しかしながら、特許文献１のプロジェクターにおいて、このような調光動作を周期的に繰り返すと、放電灯の電極の先端に形成される突起が変形する場合がある。その理由は、放電灯の輝度を下げる期間が周期的に存在すると、放電灯への供給電力が部分的に不足し、電極の溶融が抑制されるためと考えられる。突起は、電極の先端が適度に溶融してできるものだからである。近年のプロジェクターは、放電灯に交流電流が供給される場合がほとんどである。特許文献１のプロジェクターでは、調光動作を映像信号と同期させるため、放電灯に印加される交流電流の周波数はかなり高くなる。そのため、陽極動作時間は短く、電極の先端は加熱されにくい。このような原因により、突起の変形が大きくなると、放電灯の寿命が短くなる。
【０００６】
本発明の一つの態様は、上記の課題を解決するためになされたものであり、映像に与える効果を最大限に発揮しつつ、電極の突起に起因する放電灯の寿命の低下を改善し得るプロジェクターおよびプロジェクションシステムを提供することを目的の一つとする。
【課題を解決するための手段】
【０００７】
上記の目的を達成するために、本発明の一態様のプロジェクターは、光を射出する放電灯と、前記放電灯を駆動する駆動電流を前記放電灯に供給する放電灯駆動部と、前記放電灯駆動部を制御する制御部と、前記放電灯から射出される光を映像信号に応じて変調する光変調素子と、前記光変調素子により変調された光を被投写面上に投写する投写光学系と、を備え、前記制御部は、絶対値が相対的に大きい前記駆動電流が前記放電灯に供給される高輝度期間と、絶対値が相対的に小さい前記駆動電流が前記放電灯に供給される低輝度期間と、を交互に繰り返す制御波形ユニットであって、第１高輝度期間の前記駆動電流、前記第１高輝度期間の直後の第１低輝度期間の前記駆動電流、および前記第１低輝度期間の直後の第２高輝度期間の前記駆動電流が同一の第１極性となる直流波形パターンを含む前記制御波形ユニットで構成される駆動電流波形に従って、前記放電灯駆動部を制御することを特徴とする。
【０００８】
本発明者らは、駆動電流が同一極性となる期間をある程度長く取ることで電極の溶融性が高まることを知見し、本発明の一態様のプロジェクターに想到した。
本発明の一態様のプロジェクターによれば、駆動電流波形を構成する制御波形ユニットの第１高輝度期間の駆動電流、第１低輝度期間の駆動電流、および第２高輝度期間の駆動電流が同一の第１極性となるため、連続的な陽極動作時間を長く取ることができる。その結果、一般的な交流駆動を用いた従来のプロジェクターに比べて、放電灯の電極先端の突起の溶融性が高まり、突起形状が保持されやすくなる。また、第１高輝度期間と第２高輝度期間との間に第１低輝度期間が存在するため、突起が溶融した状態において電極の温度が変動する。この作用によっても、突起の形状が保持されやすくなる。このような作用が相俟って、本発明の一態様のプロジェクターによれば、放電灯の寿命の低下を改善することができる。
【０００９】
本発明の一態様のプロジェクターにおいて、前記制御波形ユニットが前記直流波形パターンと交流波形パターンとを含んでいてもよい。
【００１０】
この構成によれば、制御波形ユニットの中に交流波形パターンを挿入することにより、電極の溶融性が高くなり過ぎることが抑制される。その結果、突起の形状が所望の形状に保持されやすくなる。
【００１１】
本発明の一態様のプロジェクターにおいて、前記映像信号が第１映像信号と第２映像信号とを含み、前記光変調素子に前記第１映像信号が複数回書き込まれる第１映像期間と、前記光変調素子に前記第２映像信号が複数回書き込まれる第２映像期間と、が交互に繰り返され、前記第１映像期間および前記第２映像期間の各々のうち、前記第１映像信号が書き込まれた前記光変調素子に前記第２映像信号を書き込む期間、もしくは、前記第２映像信号が書き込まれた前記光変調素子に前記第１映像信号を書き込む期間が前記低輝度期間であり、前記第１映像信号が書き込まれた前記光変調素子に前記第１映像信号を書き込む期間、もしくは、前記第２映像信号が書き込まれた前記光変調素子に前記第２映像信号を書き込む期間が前記高輝度期間であってもよい。
【００１２】
この構成によれば、第１映像信号が書き込まれた光変調素子に第２映像信号を書き込む、もしくは、第２映像信号が書き込まれた光変調素子に第１映像信号を書き込む、といった映像信号の遷移期間を低輝度期間に割り当てることになる。その結果、第１映像信号による第１映像と第２映像信号による第２映像とのクロストークが観察者に認識されにくくなる。
【００１３】
本発明の一態様のプロジェクターにおいて、前記第１映像期間が右眼用映像期間であり、前記第２映像期間が左眼用映像期間であってもよい。
【００１４】
この構成によれば、観察者は、右眼用映像期間に投写される右眼用映像と左眼用映像期間に投写される左眼用映像とからなる視差映像を視認でき、立体映像を認識することができる。上記の構成と組み合わせると、映像信号の遷移期間で放電灯の輝度を低下させた分、遷移期間以外の定常期間で放電灯の輝度を増加できるため、明るい映像が得られる。
【００１５】
本発明の一態様のプロジェクターにおいて、前記制御波形ユニットは、前記第１高輝度期間の直前または前記第２高輝度期間の直後の第２低輝度期間の前記駆動電流が前記第１極性とは逆極性の第２極性となる波形パターンを含んでもよい。
【００１６】
この構成によれば、駆動電流が第２極性となる第２低輝度期間を設けることにより連続的な陽極動作時間が途切れることになり、放電灯にとって適切な陽極動作時間を設定することができる。その結果、放電灯の寿命低下を効果的に改善することができる。
【００１７】
本発明の一態様のプロジェクターにおいて、前記制御部は、駆動電圧の上昇に伴って前記制御波形ユニットの全期間に占める前記直流波形パターンの適用期間の割合を大きくするように、前記放電灯駆動部を制御してもよい。
【００１８】
駆動電圧の上昇は、電極先端の突起が後退し、電極の劣化が進行して電極間距離が広がったときに生じる。そのため、駆動電圧の上昇に伴って制御波形ユニットの全期間に占める直流波形パターンの適用期間の割合を大きくすれば、陽極の溶融性が高まり、電極の劣化を抑制することができる。また、突起が成長し過ぎて駆動電流が大きくなり過ぎる、電極の黒化が発生するなどの不具合を解消することができる。
【００１９】
本発明の一態様のプロジェクターにおいて、前記制御部は、駆動電圧の上昇に伴って前記制御波形ユニットの全期間に占める前記直流波形パターンの連続適用期間の割合を大きくするように、前記放電灯駆動部を制御してもよい。
【００２０】
この構成によれば、直流波形パターンの連続適用期間の割合を大きくすることで陽極の溶融性をより高めることができる。その結果、電極の劣化がより進行した場合に効果的に対応できる。
【００２１】
本発明の一態様のプロジェクターにおいて、前記制御波形ユニットは、前記第１高輝度期間の直前に前記第１極性とは逆極性の第２極性となる第２極性高輝度期間、前記第２高輝度期間の直後に前記第１極性とは逆極性の第２極性となる第２極性高輝度期間の少なくとも一方を有してもよい。
【００２２】
この構成によれば、前記第２極性高輝度期間を設けることにより駆動電流の同一極性が連続する期間の長さを適宜調整することができる。これにより、制御波形ユニットにおける同一極性に偏った期間の長さを適切に調整し、突起の形状を良好に制御することができる。
【００２３】
本発明の一態様のプロジェクターにおいて、前記制御部は、駆動電圧の上昇に伴って前記第２極性高輝度期間を短くするように、もしくは、駆動電圧の上昇に伴って相対的に短い前記第２極性高輝度期間の適用期間の割合を大きくするように、前記放電灯駆動部を制御してもよい。
【００２４】
この構成のように、駆動電圧の上昇に伴って第２極性高輝度期間を短くする、もしくは、駆動電圧の上昇に伴って相対的に短い第２極性高輝度期間の適用期間の割合を大きくすれば、陽極の溶融性が高まり、電極の劣化を抑制することができる。また、突起が成長し過ぎて駆動電流が大きくなり過ぎる、電極の黒化が発生するなどの不具合を解消することができる。
【００２５】
本発明の一態様のプロジェクションシステムは、前記本発明の一態様のプロジェクターと、右眼用シャッターと左眼用シャッターとを有するアクティブシャッターメガネと、を備えたプロジェクションシステムであって、前記映像信号が右眼用映像信号と左眼用映像信号とを含み、前記光変調素子に前記右眼用映像信号が書き込まれる右眼用映像期間と、前記光変調素子に前記左眼用映像信号が書き込まれる左眼用映像期間と、が交互に繰り返され、前記光変調素子における前記右眼用映像期間と前記左眼用映像期間との切り替えと、前記アクティブシャッターメガネにおける前記右眼用シャッターと前記左眼用シャッターとの開閉動作の切り替えと、が同期していることを特徴とする。
【００２６】
この構成によれば、放電灯の寿命の低下を改善し得る、立体映像が視認可能なプロジェクションシステムを提供することができる。
【００２７】
本発明の一態様のプロジェクションシステムにおいては、前記光変調素子にて前記右眼用映像信号と前記左眼用映像信号とが混在する期間では、前記右眼用シャッターと前記左眼用シャッターとの双方を閉じることが望ましい。
【００２８】
この構成によれば、右眼用映像と左眼用映像とのクロストークが抑制され、観察者は鮮明な立体映像を視認することができる。
【図面の簡単な説明】
【００２９】
【図１】第１実施形態のプロジェクターの概略構成図である。
【図２】放電灯の断面図である。
【図３】プロジェクターの各種構成要素を示すブロック図である。
【図４】放電灯点灯装置の回路図である。
【図５】制御部の一構成例を示すブロック図である。
【図６】放電灯の電極先端の突起の様子を示す図である。
【図７】プロジェクターの各種動作のタイミングチャートである。
【図８】放電灯の駆動電流波形を示す図である。
【図９】駆動電流波形の一部を示す拡大図である。
【図１０】従来の駆動電流波形の一部を示す拡大図である。
【図１１】第２実施形態の駆動電流波形の一部を示す拡大図である。
【図１２】第５実施形態の駆動電流波形の一部を示す拡大図である。
【発明を実施するための形態】
【００３０】
［第１実施形態］
以下、本発明の第１実施形態について、図１〜図１０を用いて説明する。
本実施形態では、光変調素子として透過型の液晶ライトバルブを３組使用したプロジェクター、いわゆる３板式の液晶プロジェクターを備えたプロジェクションシステムを例示する。
なお、以下の各図面においては各構成要素を見やすくするため、構成要素によって寸法の縮尺を異ならせて示すことがある。
【００３１】
図３に示すように、本実施形態のプロジェクションシステム４００は、プロジェクター５００と、アクティブシャッターメガネ４１０と、を備えている。プロジェクター５００は、スクリーン７００上に右眼用映像と左眼用映像とを時分割で交互に投写する。アクティブシャッターメガネ４１０は、右眼用シャッター４１２と、左眼用シャッター４１４と、を備えている。
【００３２】
スクリーン７００に右眼用映像が投写される右眼用映像期間と左眼用映像が投写される左眼用映像期間との切り替えと、アクティブシャッターメガネ４１０における右眼用シャッター４１２と左眼用シャッター４１４との開閉動作の切り替えと、は同期している。すなわち、右眼用映像期間において、右眼用シャッター４１２は開き、左眼用シャッター４１４は閉じる。左眼用映像期間において、左眼用シャッター４１４は開き、右眼用シャッター４１２は閉じる。このような動作を行うアクティブシャッターメガネ４１０を装着することにより、観察者は、自身が見ている映像を立体映像と認識することができる。
【００３３】
以下、プロジェクター５００の光学系について説明する。
図１に示すように、本実施形態のプロジェクター５００は、光源装置２００と、平行化レンズ３０５と、照明光学系３１０と、色分離光学系３２０と、３つの液晶ライトバルブ３３０Ｒ、３３０Ｇ、３３０Ｂ（光変調素子）と、クロスダイクロイックプリズム３４０と、投写光学系３５０と、を備えている。 
【００３４】
図２に示すように、光源装置２００は、光源ユニット２１０と、放電灯点灯装置１０と、を備えている。光源ユニット２１０は、主反射鏡１１２と、副反射鏡５０と、放電灯９０と、を備えている。放電灯点灯装置１０は、放電灯９０に駆動電流（駆動電力）を供給して放電灯９０を点灯させる。主反射鏡１１２は、放電灯９０から放出された光を照射方向Ｄに向けて反射する。照射方向Ｄは、放電灯９０の光軸ＡＸと平行である。
【００３５】
図１に示すように、光源ユニット２１０から射出された光は、平行化レンズ３０５を通過して照明光学系３１０に入射する。平行化レンズ３０５は、光源ユニット２１０からの光を平行化する機能を有する。
【００３６】
照明光学系３１０は、光源装置２００から射出される光の照度を液晶ライトバルブ３３０Ｒ、３３０Ｇ、３３０Ｂ上で均一化する機能を有する。照明光学系３１０は、光源装置２００から射出される光の偏光方向を一方向に揃える機能も有する。その理由は、光源装置２００から射出される光を液晶ライトバルブ３３０Ｒ、３３０Ｇ、３３０Ｂで有効に利用するためである。
【００３７】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色に対応付けられた液晶ライトバルブ３３０Ｒ、３３０Ｇ、３３０Ｂによりそれぞれ変調される。液晶ライトバルブ３３０Ｒ、３３０Ｇ、３３０Ｂは、後述する液晶パネル５６０Ｒ、５６０Ｇ、５６０Ｂと、偏光板（図示略）と、を備えている。偏光板は、液晶パネル５６０Ｒ、５６０Ｇ、５６０Ｂのそれぞれの光入射側および光射出側に配置される。
【００３８】
変調された３つの色光は、クロスダイクロイックプリズム３４０により合成される。合成光は投写光学系３５０に入射する。投写光学系３５０は、入射光をスクリーン７００（図３参照）に投写する。これにより、スクリーン７００上には右眼用映像もしくは左眼用映像が時分割で表示される。なお、平行化レンズ３０５、照明光学系３１０、色分離光学系３２０、クロスダイクロイックプリズム３４０、投写光学系３５０の各々の構成としては、周知の種々の構成を採用することができる。
【００３９】
図２は、光源装置２００の構成を示す断面図である。光源装置２００は、光源ユニット２１０と、放電灯点灯装置１０と、を備えている。図２には、光源ユニット２１０の断面図が示されている。光源ユニット２１０は、主反射鏡１１２と、放電灯９０と、副反射鏡５０と、を備えている。
【００４０】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００４１】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。以下の説明では、電極先端部を「放電端」と称することもある。第１電極９２および第２電極９３の材料は、例えばタングステン等の金属である。
【００４２】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えばタングステン等の金属である。導電性部材５３４、５４４の材料としては、例えばモリブデン箔が利用される。
【００４３】
第１端子５３６および第２端子５４６は、放電灯点灯装置１０に接続されている。放電灯点灯装置１０は、第１端子５３６および第２端子５４６に、放電灯９０を駆動するための駆動電流を供給する。その結果、第１電極９２および第２電極９３の間でアーク放電が起きる。アーク放電により発生した光（放電光）は、破線の矢印で示すように、放電位置から全方向に向かって放射される。
【００４４】
放電灯９０の第１端部９０ｅ１には、固定部材１１４により主反射鏡１１２が固定されている。主反射鏡１１２の反射面（放電灯９０側の面）の形状は、例えば回転楕円形状である。主反射鏡１１２は、放電光のうち、照射方向Ｄと反対側に向かって進む光を照射方向Ｄに向かって反射する。主反射鏡１１２の反射面の形状としては、回転楕円形状に限らず、放電光を照射方向Ｄに向かって反射するような種々の形状を採用可能である。主反射鏡１１２の反射面として、例えば回転放物線形状を採用してもよい。この場合、主反射鏡１１２は、放電光を光軸ＡＸに略平行な光に変換することができる。これにより、平行化レンズ３０５を省略することができる。
【００４５】
放電灯９０の第２端部９０ｅ２側には、固定部材５２２により副反射鏡５０が固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００４６】
固定部材１１４、５２２の材料としては、放電灯９０からの発熱に耐え得る任意の耐熱材料（例えば無機接着剤）を採用できる。主反射鏡１１２および副反射鏡５０と放電灯９０との配置を固定する方法としては、主反射鏡１１２および副反射鏡５０を放電灯９０に固定する方法に限らず、任意の方法を採用できる。例えば、放電灯９０と主反射鏡１１２とを、独立にプロジェクターの筐体（図示せず）に固定してもよい。副反射鏡５０についても同様である。
【００４７】
以下、プロジェクター５００の回路構成について説明する。
図３は、本実施形態のプロジェクター５００の回路構成の一例を示す図である。プロジェクター５００は、先に説明した光学系の他、画像信号変換部５１０と、直流電源装置８０と、放電灯点灯装置１０と、放電灯９０と、液晶パネル５６０Ｒ、５６０Ｇ、５６０Ｂと、画像処理装置５７０と、ＣＰＵ（Central Processing Unit）５８０と、を備えている。
【００４８】
画像信号変換部５１０は、外部から入力された画像信号５０２（輝度−色差信号やアナログＲＧＢ信号など）を所定のワード長のデジタルＲＧＢ信号に変換して画像信号５１２Ｒ、５１２Ｇ、５１２Ｂを生成し、画像処理装置５７０に供給する。画像信号変換部５１０は、画像信号５０２として、所定の切替タイミングで右眼用映像と左眼用映像とが交互に切り替わる立体映像信号が入力された場合には、右眼用映像と左眼用映像との切替タイミングに基づいて、同期信号５１４をＣＰＵ５８０に供給する。
【００４９】
画像処理装置５７０は、３つの画像信号５１２Ｒ、５１２Ｇ、５１２Ｂに対してそれぞれ画像処理を行う。画像処理装置５７０は、液晶パネル５６０Ｒ、５６０Ｇ、５６０Ｂをそれぞれ駆動するための駆動信号５７２Ｒ、５７２Ｇ、５７２Ｂを液晶パネル５６０Ｒ、５６０Ｇ、５６０Ｂに供給する。 
【００５０】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００５１】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００５２】
液晶パネル５６０Ｒ、５６０Ｇ、５６０Ｂは、それぞれ駆動信号５７２Ｒ、５７２Ｇ、５７２Ｂに基づいて、先に説明した光学系を介して各液晶パネル５６０Ｒ、５６０Ｇ、５６０Ｂに入射される色光の透過率（輝度）を変調する。
【００５３】
ＣＰＵ５８０は、プロジェクター５００の点灯開始から消灯に至るまでの各種の動作を制御する。例えば図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。ＣＰＵ５８０は、同期信号５１４に基づいて、画像信号５０２に同期してアクティブシャッターメガネ４１０を制御するための制御信号５８６を、有線または無線の通信手段を介してアクティブシャッターメガネ４１０に出力する。
【００５４】
アクティブシャッターメガネ４１０は、右眼用シャッター４１２と、左眼用シャッター４１４と、を備えている。右眼用シャッター４１２および左眼用シャッター４１４は、制御信号５８６に基づいてそれぞれ開閉動作が制御される。観察者がアクティブシャッターメガネ４１０を装着した場合に、右眼用シャッター４１２が閉じられることにより右眼側の視野が遮られる。観察者がアクティブシャッターメガネ４１０を装着した場合に、左眼用シャッター４１４が閉じられることにより左眼側の視野が遮られる。右眼用シャッター４１２および左眼用シャッター４１４は、例えば液晶シャッターで構成される。
【００５５】
以下、放電灯点灯装置１０の構成について説明する。
図４は、放電灯点灯装置１０の回路構成の一例を示す図である。放電灯点灯装置１０は、電力制御回路２０を含んでいる。電力制御回路２０は、放電灯９０に供給する駆動電力を生成する。本実施形態においては、電力制御回路２０は、直流電源装置８０からの電圧を入力とし、当該入力電圧を降圧して直流電流Ｉｄを出力するダウンチョッパー回路で構成されている。
【００５６】
電力制御回路２０は、スイッチ素子２１、ダイオード２２、コイル２３およびコンデンサー２４を含んで構成される。スイッチ素子２１は、例えばトランジスターで構成される。本実施形態においては、スイッチ素子２１の一端は直流電源装置８０の正電圧側に接続され、他端はダイオード２２のカソード端子およびコイル２３の一端に接続されている。コイル２３の他端にコンデンサー２４の一端が接続され、コンデンサー２４の他端はダイオード２２のアノード端子および直流電源装置８０の負電圧側に接続されている。スイッチ素子２１の制御端子には、制御部４０（後述）から電流制御信号が入力されてスイッチ素子２１のＯＮ／ＯＦＦが制御される。電流制御信号には、例えばＰＷＭ（Pulse Width Modulation）制御信号が用いられてもよい。
【００５７】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５８】
放電灯点灯装置１０は、極性反転回路３０を含んでいる。極性反転回路３０は、電力制御回路２０から出力される直流電流Ｉｄを入力し、直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５９】
極性反転回路３０は、例えばトランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００６０】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００６１】
すなわち、極性反転回路３０では、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００６２】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００６３】
放電灯点灯装置１０は、制御部４０を含んでいる。制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値、周波数等を制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。また、制御部４０は、電力制御回路２０に対して、出力される直流電流Ｉｄの電流値を制御する電流制御を行う。
【００６４】
制御部４０の構成は、特に限定されるものではないが、本実施形態の場合、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００６５】
システムコントローラー４１は、電力制御回路コントローラー４２および極性反転回路コントローラー４３を制御することにより、電力制御回路２０および極性反転回路３０を制御する。システムコントローラー４１は、後述する放電灯点灯装置１０の内部に設けられた動作検出部６０が検出した駆動電圧Ｖｌａおよび駆動電流Ｉに基づき、電力制御回路コントローラー４２および極性反転回路コントローラー４３を制御してもよい。
【００６６】
本実施形態においては、システムコントローラー４１は、記憶部４４を含んで構成されている。記憶部４４は、システムコントローラー４１とは独立に設けられてもよい。
【００６７】
システムコントローラー４１は、記憶部４４に格納された情報に基づき、電力制御回路２０および極性反転回路３０を制御してもよい。記憶部４４には、例えば駆動電流Ｉが同一極性で継続する保持時間、駆動電流Ｉの電流値、周波数、波形、変調パターン等の駆動パラメーターに関する情報が格納されていてもよい。
【００６８】
電力制御回路コントローラー４２は、システムコントローラー４１からの制御信号に基づき、電力制御回路２０へ電流制御信号を出力することにより、電力制御回路２０を制御する。
【００６９】
極性反転回路コントローラー４３は、システムコントローラー４１からの制御信号に基づき、極性反転回路３０へ極性反転制御信号を出力することにより、極性反転回路３０を制御する。
【００７０】
制御部４０は、専用回路を用いて実現され、上述した制御や後述する処理の各種制御を行うようにすることができる。これに対して、制御部４０は、例えばＣＰＵ（Central Processing Unit）が記憶部４４に記憶された制御プログラムを実行することによりコンピューターとして機能し、これらの処理の各種制御を行うようにすることもできる。図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成してもよい。
【００７１】
図４に示した例では、制御部４０は、放電灯点灯装置１０の一部として構成されている。これに対して、制御部４０の機能の一部をＣＰＵ５８０が担うように構成されていてもよい。
【００７２】
放電灯点灯装置１０は、動作検出部６０を含んでいる。動作検出部６０は、例えば放電灯９０の駆動電圧Ｖｌａを検出し、制御部４０に駆動電圧情報を出力する電圧検出部、駆動電流Ｉを検出し、制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００７３】
本実施形態において、電圧検出部は、放電灯９０と並列に、互いに直列接続された第１の抵抗６１および第２の抵抗６２で分圧した電圧により駆動電圧Ｖｌａを検出する。また、本実施形態において、電流検出部は、放電灯９０に直列に接続された第３の抵抗６３に発生する電圧により駆動電流Ｉを検出する。
【００７４】
放電灯点灯装置１０は、イグナイター回路７０を含んでいる。イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を放電灯９０の電極間（第１電極９２と第２電極９３との間）に供給する。本実施形態においては、イグナイター回路７０は、放電灯９０と並列に接続されている。
【００７５】
以下、駆動電流Ｉの極性と電極の温度との関係について説明する。
図６（Ａ）〜図６（Ｄ）は、放電灯９０に供給する駆動電流Ｉの極性と電極の温度との関係を示す説明図である。図６（Ａ）および図６（Ｂ）は、第１電極９２および第２電極９３の動作状態を示している。これらの図には、第１電極９２および第２電極９３の先端部分が示されている。第１電極９２および第２電極９３の先端にはそれぞれ突起５５２ｐ、５６２ｐが形成されている。第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。ただし、このような突起５５２ｐ，５６２ｐは必ずしも形成されていなくてもよい。
【００７６】
図６（Ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７７】
図６（Ｂ）は、第１電極９２が陰極として動作し、第２電極９３が陽極として動作する第２極性状態を示している。第２極性状態では、第１極性状態Ｐ１とは逆に、第１電極９２から第２電極９３へ電子が移動する。その結果、第２電極９３の先端（突起５６２ｐ）の温度が上昇する。
【００７８】
このように、電子が衝突する陽極の温度は、電子を放出する陰極の温度と比べて高くなりやすい。ここで、一方の電極の温度が他方の電極と比べて高い状態が続くことは、種々の不具合を引き起こす虞がある。例えば、高温となる電極の先端が過剰に溶けた場合には、意図しない電極の変形が生じ得る。その結果、アーク長が適正値からずれる場合がある。また、低温となる電極の先端の溶融が不十分な場合には、先端に生じた微小な凹凸が溶けずに残る虞がある。その結果、いわゆるアークジャンプが生じる（アーク位置が安定せずに移動する）場合がある。
【００７９】
このような不具合を抑制する技術として、各電極の極性を繰り返し交替させる交流駆動を利用することが考えられてきた。図６（Ｃ）は、放電灯９０に供給される駆動電流Ｉの一例を示すタイミングチャートである。横軸は時間Ｔを示し、縦軸は駆動電流Ｉの電流値を示している。駆動電流Ｉは、放電灯９０を流れる電流を示す。正値は第１極性状態を示し、負値は第２極性状態を示す。
【００８０】
図６（Ｃ）に示す例では、駆動電流Ｉとして矩形波交流電流が利用されている。図６（Ｃ）に示す例では、第１極性状態と第２極性状態とが交互に繰り返されている。ここで、第１極性区間Ｔｐは、第１極性状態が続く時間を示し、第２極性区間Ｔｎは、第２極性状態が続く時間を示す。図６（Ｃ）に示す例では、第１極性区間Ｔｐの平均電流値はＩｍ１であり、第２極性区間Ｔｎの平均電流値は−Ｉｍ２である。放電灯９０の駆動に適した駆動電流Ｉの周波数は、放電灯９０の特性に合わせて、実験的に決定することができる（例えば３０Ｈｚ〜１ｋＨｚの範囲の値が採用される）。他の値Ｉｍ１、−Ｉｍ２、Ｔｐ、Ｔｎも、同様に実験的に決定することができる。
【００８１】
図６（Ｄ）は、第１電極９２の温度変化を示すタイミングチャートである。横軸は時間Ｔを示し、縦軸は温度Ｈを示している。第１極性状態では、第１電極９２の温度Ｈが上昇し、第２極性状態では、第１電極９２の温度Ｈが低下する。第１極性状態と第２極性状態が繰り返されるので、温度Ｈは最小値Ｈｍｉｎと最大値Ｈｍａｘとの間で周期的に変化する。図示は省略するが、第２電極９３の温度は、第１電極９２の温度Ｈとは逆位相で変化する。すなわち、第１極性状態では、第２電極９３の温度が低下し、第２極性状態Ｐ２では、第２電極９３の温度が上昇する。
【００８２】
第１極性状態では、第１電極９２（突起５５２ｐ）の先端が溶融するので、第１電極９２（突起５５２ｐ）の先端が滑らかになる。これにより、第１電極９２での放電位置の移動を抑制できる。また、第２電極９３（突起５６２ｐ）の先端の温度が低下するので、第２電極９３（突起５６２ｐ）の過剰な溶融が抑制される。これにより、意図しない電極の変形を抑制できる。第２極性状態Ｐ２では、第１電極９２と第２電極９３での作用が上記の場合と逆である。したがって、２つの極性状態を交互に繰り返すことによって、第１電極９２および第２電極９３の各々における不具合を抑制できる。
【００８３】
ここで、電流Ｉの波形が対称である場合、すなわち、電流Ｉの波形が「｜Ｉｍ１｜＝｜−Ｉｍ２｜、Ｔｐ＝Ｔｎ」という条件を満たす場合、第１電極９２と第２電極９３との間で供給電力の条件が同じである。そのため、第１電極９２および第２電極９３の熱的条件（温度上昇のし易さおよび温度低下のし易さ）が同一であれば、第１電極９２と第２電極９３との間の温度差が小さくなると推定される。しかしながら、第１電極９２と第２電極９３との熱的条件が異なる場合には、より高温になりやすい条件にある側の電極の先端部の突起が消失してしまう可能性がある。電極先端部の突起が消失してしまうと、アークの起点が不安定になったり、更なる電極の変形を引き起こしたりする原因となる。また、より高温になりやすい条件におかれた電極先端部からは過剰な電極材料が蒸発し、封体に付着する黒化・針状結晶形成がより進行しやすくなる。
【００８４】
また、電極が広い範囲にわたって加熱されすぎると、アークスポット（アーク放電に伴う電極表面上のホットスポット）が大きくなる。このとき、過剰な溶融により電極の形状が崩れる。逆に、電極が冷えすぎると、アークスポットが小さくなる。このとき、電極の先端が十分に溶融できず、先端が滑らかになる作用が生じにくく、電極の先端が変形しやすくなる。そのため、電極に対して一様なエネルギー供給状態を継続すると、電極の先端（突起５５２ｐおよび突起５６２ｐ）が意図しない形状に変形しやすくなる。
【００８５】
次に、本実施形態に係るプロジェクター５００における駆動電流Ｉの制御の具体例について説明する。
図７は、第１期間Ｐ１〜第４期間Ｐ４、および切替タイミングについて説明するための図である。図７には、上から順に駆動信号５７２Ｒ，５７２Ｇ，５７２Ｂの内容、右眼用シャッター４１２の開閉状態、左眼用シャッター４１４の開閉状態、第１期間Ｐ１〜第４期間Ｐ４、切替タイミングの時間的な関係が示されている。図７の横軸は時間である。
【００８６】
図７の例では、駆動信号５７２Ｒ，５７２Ｇ，５７２Ｂは、時刻ｔ１から時刻ｔ５までの間は右眼用映像、時刻ｔ５から時刻ｔ９までの間は左眼用映像、時刻ｔ９から時刻ｔ１３までの間は右眼用映像、時刻ｔ１３から時刻ｔ１７までの間は左眼用映像に対応する駆動信号となっている。以下はその繰り返しである。したがって、図７の例では、プロジェクター５００は、時刻ｔ１、時刻ｔ５、時刻ｔ９、時刻ｔ１３、時刻ｔ１７を切替タイミングとして、右眼用映像と左眼用映像とを切り替えて交互に出力する。
【００８７】
時間的に隣り合う切替タイミングに挟まれる映像期間は、均等に４分割され、第１期間Ｐ１で始まり、第４期間Ｐ４で終わる。液晶パネル５６０Ｒ、５６０Ｇ、５６０Ｂには、右眼用映像に対応する駆動信号である右眼用映像信号が各期間で１回ずつ、合計４回書き込まれる。同様に、液晶パネル５６０Ｒ、５６０Ｇ、５６０Ｂには、左眼用映像に対応する駆動信号である左眼用映像信号が各期間で１回ずつ、合計４回書き込まれる。したがって、右眼用映像信号と左眼用映像信号とは６０Ｈｚで交互に供給されるため、液晶パネル５６０Ｒ、５６０Ｇ、５６０Ｂは４８０Ｈｚで駆動される。
【００８８】
図７の例では、例えば、切替タイミングとなる時刻ｔ１と時刻ｔ５とに挟まれる右眼用映像期間は、時刻ｔ１から時刻ｔ２までの間の第１期間で始まり、時刻ｔ４から時刻ｔ５までの間の第４期間で終わる。切替タイミングとなる時刻ｔ５と時刻ｔ９とに挟まれる左眼用映像期間、切替タイミングとなる時刻ｔ９と時刻ｔ１３とに挟まれる右眼用映像期間、切替タイミングとなる時刻ｔ１３と時刻ｔ１７とに挟まれる左眼用映像期間についても同様である。図７の例では、第１期間〜第４期間の長さを全て均等にしたが、各期間の長さは必要に応じて適宜異ならせてもよい。
【００８９】
右眼用シャッター４１２は、右眼用映像に対応する駆動信号である右眼用映像信号５７２Ｒ，５７２Ｇ，５７２Ｂが液晶パネル５６０Ｒ，５６０Ｇ，５６０Ｂに入力されている右眼用映像期間の少なくとも一部の期間で開いた状態となる。図７の例では、右眼用シャッター４１２は、時刻ｔ１から時刻ｔ２までの間では閉じた状態であり、時刻ｔ２から時刻ｔ５までの間は開いた状態である。時刻ｔ９から時刻ｔ１３までの期間における右眼用シャッター４１２の開閉の切り替えタイミングは、時刻ｔ１から時刻ｔ５までの期間の開閉の切り替えタイミングと同様である。
【００９０】
左眼用シャッター４１４は、左眼用映像に対応する駆動信号である左眼用映像信号５７２Ｒ，５７２Ｇ，５７２Ｂが液晶パネル５６０Ｒ，５６０Ｇ，５６０Ｂに入力されている左眼用映像期間の少なくとも一部の期間で開いた状態となる。図７の例では、左眼用シャッター４１４は、時刻ｔ５から時刻ｔ６までの間では閉じた状態であり、時刻ｔ６から時刻ｔ９までの間は開いた状態である。時刻ｔ１３から時刻ｔ１７までの間における左眼用シャッター４１４の開閉の切り替えタイミングは、時刻ｔ５から時刻ｔ９までの間の開閉の切り替えタイミングと同様である。
【００９１】
以上のように、液晶パネル５６０Ｒ，５６０Ｇ，５６０Ｂに右眼用映像信号５７２Ｒ，５７２Ｇ，５７２Ｂが書き込まれている期間を右眼用映像期間（第１映像期間）と称する。同様に、液晶パネル５６０Ｒ，５６０Ｇ，５６０Ｂに左眼用映像信号５７２Ｒ，５７２Ｇ，５７２Ｂが書き込まれている期間を左眼用映像期間（第２映像期間）と称する。
【００９２】
すなわち、図７の例では、右眼用映像期間において、第１期間Ｐ１は右眼用シャッター４１２が閉じている期間である。第２期間Ｐ２〜第４期間Ｐ４は、右眼用シャッター４１２が開いている期間である。液晶パネル５６０Ｒ，５６０Ｇ，５６０Ｂへの映像信号の書き込みとの関係で言えば、第１期間Ｐ１は、左眼用映像信号が書き込まれた液晶パネル５６０Ｒ，５６０Ｇ，５６０Ｂに右眼用映像信号を書き込み始める期間である。第２期間Ｐ２〜第４期間Ｐ４は、右眼用映像信号が書き込まれた液晶パネル５６０Ｒ，５６０Ｇ，５６０Ｂに右眼用映像信号を繰り返し書き込む期間である。
【００９３】
同様に、左眼用映像期間において、第１期間Ｐ１は、左眼用シャッター４１２が閉じている期間である。第２期間Ｐ２〜第４期間Ｐ４は、左眼用シャッター４１２が開いている期間である。液晶パネル５６０Ｒ，５６０Ｇ，５６０Ｂへの映像信号の書き込みとの関係で言えば、第１期間Ｐ１は、右眼用映像信号が書き込まれた液晶パネル５６０Ｒ，５６０Ｇ，５６０Ｂに左眼用映像信号を書き込み始める期間である。第２期間Ｐ２〜第４期間Ｐ４は、左眼用映像信号が書き込まれた液晶パネル５６０Ｒ，５６０Ｇ，５６０Ｂに左眼用映像信号を繰り返し書き込む期間である。
【００９４】
言い換えると、右眼用映像期間、左眼用映像期間のそれぞれにおいて、第１期間Ｐ１では、右眼用シャッター４１２および左眼用シャッター４１４の双方が閉じている。第２期間Ｐ２〜第４期間Ｐ４では、右眼用シャッター４１２と左眼用シャッター４１４のうち、映像信号に対応する側のシャッターが開き、映像信号に対応しない側のシャッターが閉じている。したがって、一方の映像期間の中で、いずれか一方のシャッターが開いている時間と双方のシャッターが閉じている時間との比は、３：１である。
【００９５】
放電灯９０の調光動作は、このような右眼用シャッター４１２および左眼用シャッター４１４の動作と同期させて行われる。すなわち、右眼用シャッター４１２、左眼用シャッター４１４の双方が閉じている第１期間Ｐ１は、観察者の映像の視認に寄与しないため、放電灯９０の輝度を例えば定格値の５５％程度まで下げた低輝度期間とする。右眼用シャッター４１２、左眼用シャッター４１４のいずれか一方が開いている第２期間Ｐ２〜第４期間Ｐ４は、放電灯９０の輝度を例えば定格値の１１５％程度まで上げた高輝度期間とする。したがって、一方の映像期間の中で、高輝度期間と低輝度期間との時間比は、３：１である。このような調光動作を行うことで、右眼用シャッター４１２、左眼用シャッター４１４の双方が閉じることの欠点を改善し、より明るい映像を得ることができる。
【００９６】
ところで、一方の電極の温度を過剰に高い状態としないために、一般的には交流駆動が好ましいことは既に説明した。しかしながら、本実施形態では、放電灯９０の調光動作を映像信号と同期させているため、放電灯９０に印加される交流周波数は例えば数１００Ｈｚと極めて高くなる。そのため、各電極の陽極動作時間が短く、電極の先端が加熱されにくい。このような原因により突起の変形が大きくなると、放電灯の寿命が短くなるという問題がある。
【００９７】
そこで、本発明者らは、単純な交流駆動ではなく、一方の極性が連続する期間を適度に程度長く設け、陽極動作時間を確保することにより、電極先端の溶融性が高まり、電極の形状を良好に維持できることを見出した。
【００９８】
図８は、本実施形態における駆動電流波形の一例を示すタイミングチャートである。制御部４０は、この駆動電流波形に従って放電灯駆動部２３０を制御する。横軸は時間（秒）、縦軸は電力比を表す。電力比は、定格ノーマルモード（２Ｄ表示時）の駆動電力を１としたときの駆動電力の相対値である。電極間距離が一定であれば、駆動電圧は一定と考えられる。このとき、駆動電流と駆動電力とは比例関係にあるため、図８は、定格ノーマルモード（２Ｄ表示時）の駆動電流を１としたときの駆動電流の相対値を示す波形とみなすことができる。図８においては、第２電極９３が陽極となる場合の電力比を正値、第１電極９２が陽極となる場合の電力比を負値として表す。以下の説明においては、第２電極９３が陽極となる場合の駆動電流の極性を正極性、第１電極９２が陽極となる場合の駆動電流Ｉの極性を負極性と表現する。
【００９９】
図８に示すように、駆動電流波形は、極性が反転した２つの制御波形ユニットの繰り返しで構成されている。図８では、２個の制御波形ユニットと３個目の制御波形ユニットの一部を示している。制御波形ユニットは、全体にわたって、絶対値が相対的に大きい駆動電流が放電灯９０に供給される高輝度期間Ｈと、絶対値が相対的に小さい駆動電流が放電灯９０に供給される低輝度期間Ｌと、を交互に繰り返した構成を有している。
【０１００】
図８において破線で区切られた一つの期間が一つの映像期間（右眼用映像期間、左眼用映像期間のいずれか一方）に対応する。右眼用映像期間と左眼用映像期間との切り替え周波数は６０Ｈｚである。右眼用シャッター４１２と左眼用シャッター４１４との切り替え周波数は６０Ｈｚである。
【０１０１】
上述したように、一つの映像期間のうち、時間比が３：１となるように高輝度期間と低輝度期間とが設けられている。図８の例では、電力比（駆動電流比）が正値を取る場合、高輝度期間の電力比は１．１５、低輝度期間の電力比は０．５５に設定されている。電力比（駆動電流比）が負値を取る場合、高輝度期間の電力比は−１．１５、低輝度期間の電力比は−０．５５に設定されている。
【０１０２】
制御波形ユニットは、直流波形パターンと交流波形パターンとを含んでいる。図８の例では、波形パターンＡ（負）と波形パターンＡ（正）とが直流波形パターンに相当する。直流波形パターンは、第１高輝度期間Ｈの電力比（駆動電流）、第１高輝度期間Ｈの直後の第１低輝度期間Ｌの電力比（駆動電流）、および第１低輝度期間Ｌの直後の第２高輝度期間Ｈの電力比（駆動電流）が同一の極性となるパターンを含んでいる。また、波形パターンＢは交流波形パターンに相当する。
【０１０３】
図９（Ａ）〜（Ｄ）は、従来の駆動電流波形を構成する波形パターンを示す拡大図である。図９（Ａ）は高輝度期間Ｈの電力比が負値を取る波形パターンＣ、図９（Ｂ）は高輝度期間Ｈの電力比が正値を取る波形パターンＣ、図９（Ｃ）は高輝度期間Ｈの前半の電力比が負値を取る波形パターンＤ、図９（Ｄ）は高輝度期間Ｈの前半の電力比が正値を取る波形パターンＤ、をそれぞれ示す。
【０１０４】
例えば、最初の高輝度期間は直流の波形パターンＣ（負）（図９（Ａ））もしくは交流の波形パターンＤ（負）（図９（Ｃ））で構成され、その後、これとは逆極性で始まる直流の波形パターンＣ（正）（図９（Ｂ））もしくは交流の波形パターンＤ（正）（図９（Ｄ））で構成される駆動電流波形が用いられた。
【０１０５】
しかしながら、右眼用映像期間と左眼用映像期間との切り替え周波数を６０Ｈｚとし、放電灯の調光動作を映像信号に同期させるとすると、高輝度期間に駆動電流を同一極性に保持する時間は、図９（Ａ）、（Ｂ）に示す波形パターンＣの場合で６．２５msec、図９（Ｃ）、（Ｄ）に示す波形パターンＤの場合で３．１３msecとなる。放電灯が劣化してくると、この程度の時間では突起の溶融性が悪く、突起を保持できない。その結果、アーク長が伸び、放電灯が短時間で劣化するという問題があった。
【０１０６】
これに対して、図１０（Ａ）〜（Ｄ）は、図８に示す本実施形態の駆動電流波形を構成する波形パターンを示す拡大図である。図１０（Ａ）は同一極性が連続する期間の駆動電流が負値を取る波形パターンＡ、図１０（Ｂ）は同一極性が連続する期間の駆動電流が正値を取る波形パターンＡ、図１０（Ｃ）は最初の高輝度期間の電力比が負値を取る波形パターンＢ、図１０（Ｄ）は最初の高輝度期間の電力比が正値を取る波形パターンＢ、をそれぞれ示す。
【０１０７】
図１０（Ａ）、（Ｂ）に示すように、波形パターンＡ（負）および波形パターンＡ（正）は、基本的に直流波形パターンである。具体的には、波形パターンＡ（負）は、第１高輝度期間Ｈ１の電力比（駆動電流）、第１高輝度期間Ｈ１の直後の第１低輝度期間Ｌ１の電力比（駆動電流）、および第１低輝度期間Ｌ１の直後の第２高輝度期間Ｈ２の電力比（駆動電流）が負極性となり、第２高輝度期間Ｈ２の直後の第２低輝度期間Ｌ２の電力比（駆動電流）が正極性となるパターンを含んでいる。
【０１０８】
波形パターンＡ（正）は、第１高輝度期間Ｈ１の電力比（駆動電流）、第１高輝度期間Ｈ１の直後の第１低輝度期間Ｌ１の電力比（駆動電流）、および第１低輝度期間Ｌ１の直後の第２高輝度期間Ｈ２の電力比（駆動電流）が正極性となり、第２高輝度期間Ｈ２の直後の第２低輝度期間Ｌ２の電力比（駆動電流）が負極性となるパターンを含んでいる。すなわち、本実施形態の駆動電流波形は、時間的に隣接する２つの映像期間に跨がって駆動電流が同一極性である期間を有していることが特徴である。
【０１０９】
図１０（Ｃ）、（Ｄ）に示すように、波形パターンＢ（負）および波形パターンＢ（正）は、基本的に交流波形パターンである。すなわち、波形パターンＢ（負）、波形パターンＢ（正）は、ともに高輝度期間Ｈと低輝度期間Ｌとにわたって交流波形を示す。
【０１１０】
図８に戻って、本実施形態の駆動電流波形は、最初（左端）の制御波形ユニットは、直流波形パターンの一つである波形パターンＡ（負）（図１０（Ａ））と、交流波形パターンである波形パターンＢ（負）（図１０（Ｃ））および波形パターンＢ（正）（図１０（Ｄ））と、から構成されている。２番目（左端から２番目）の制御波形ユニットは、直流波形パターンの一つである波形パターンＡ（正）（図１０（Ｂ））と、交流波形パターンである波形パターンＢ（負）（図１０（Ｃ））および波形パターンＢ（正）（図１０（Ｄ））と、から構成されている。以下、駆動電流波形は、これらの制御波形ユニットが繰り返し配置された構成となっている。
【０１１１】
上述したように、従来の駆動電流波形を採用した場合、駆動電流を同一極性に保持する時間は６．２５msecもしくは３．１３msecであった。これに対し、本実施形態の駆動電流波形を採用した場合、図１０（Ａ）、（Ｂ）に示すように、駆動電流を同一極性に連続して保持する時間を１４．６msecにまで増加させることができる。これにより、放電灯の電極先端の突起の溶融性が高まり、突起の形状が保持されやすくなる。その結果、放電灯の寿命を改善することができる。
【０１１２】
また、駆動電流を同一極性に連続して保持する期間内に高輝度期間Ｈ１，Ｈ２と低輝度期間Ｌ１とが含まれるため、駆動電流は一定ではなく、各期間に応じて変動している。これにより、電極の温度に変動が与えられ、溶融状態となった突起に刺激が与えられる。さらに、制御波形ユニットの中に交流波形パターンを含んでいるため、電極の溶融性が高くなり過ぎることが抑制される。以上の効果が相まって、突起を保持する作用を著しく改善することができる。
【０１１３】
本実施形態の場合、上記のような放電灯９０の調光を行った場合でも、放電灯９０の調光切り替えタイミングと映像信号およびアクティブシャッターメガネ４１０の切り替えタイミングとが同期しているため、観察者は低輝度期間では映像を見ることができない。したがって、スクロールノイズの発生を抑えることができる。
【０１１４】
［第２実施形態］
以下、本発明の第２実施形態について、図１１を用いて説明する。
本実施形態のプロジェクションシステムの基本構成は第１実施形態と同一である。また、プロジェクションシステムを構成するプロジェクターの基本構成も第１実施形態と同一である。本実施形態は、放電灯の駆動電流波形が第１実施形態と異なるのみである。
したがって、本実施形態では、プロジェクションシステムおよびプロジェクターの基本構成の説明は省略する。
【０１１５】
第１実施形態の駆動電流波形は、時間的に隣接する２つの映像期間に跨がって駆動電流が同一極性である期間を有していた。これに対し、本実施形態の駆動電流波形は、時間的に隣接する３つの映像期間に跨がって駆動電流が同一極性である期間を有していることが特徴である。
【０１１６】
図１１（Ａ）、（Ｂ）は、本実施形態の駆動電流波形を構成する波形パターンを示す拡大図である。図１１（Ａ）は同一極性が連続する期間の駆動電流が負値を取る波形パターンＤ、図１１（Ｂ）は同一極性が連続する期間の駆動電流が正値を取る波形パターンＤ、をそれぞれ示す。
【０１１７】
図１１（Ａ）に示すように、波形パターンＤ（負）は、第１高輝度期間Ｈ１の電力比（駆動電流）、第１高輝度期間Ｈ１の直後の第１低輝度期間Ｌ１の電力比（駆動電流）、第１低輝度期間Ｌ１の直後の第２高輝度期間Ｈ２の電力比（駆動電流）、第２高輝度期間Ｈ２の直後の第２低輝度期間Ｌ２の電力比（駆動電流）、および第２低輝度期間Ｌ２の直後の第３高輝度期間Ｈ３の電力比（駆動電流）が負極性となり、第３高輝度期間Ｈ３の直後の第３低輝度期間Ｌ３の電力比（駆動電流）が正極性となるパターンを含んでいる。
【０１１８】
図１１（Ｂ）に示すように、波形パターンＤ（正）は、第１高輝度期間Ｈ１の電力比（駆動電流）、第１高輝度期間Ｈ１の直後の第１低輝度期間Ｌ１の電力比（駆動電流）、第１低輝度期間Ｌ１の直後の第２高輝度期間Ｈ２の電力比（駆動電流）、第２高輝度期間Ｈ２の直後の第２低輝度期間Ｌ２の電力比（駆動電流）、および第２低輝度期間Ｌ２の直後の第３高輝度期間Ｈ３の電力比（駆動電流）が正極性となり、第３高輝度期間Ｈ３の直後の第３低輝度期間Ｌ３の電力比（駆動電流）が負極性となるパターンを含んでいる。
【０１１９】
本実施形態では駆動電流波形全体の提示は省略するが、例えば第１実施形態の図８に示す駆動電流波形の波形パターンＡ（負）、波形パターンＡ（正）に代えて、図１１（Ａ）、（Ｂ）に示す波形パターンＤ（負）、波形パターンＤ（正）を適宜採用することができる。
【０１２０】
本実施形態の駆動電流波形の場合、時間的に隣接する３つの映像期間に跨がって駆動電流Ｉが同一極性である期間を設けたため、駆動電流Ｉを同一極性に連続して保持する期間が第１実施形態に比べてさらに長くなる。第１実施形態の駆動電流波形を採用した場合、駆動電流Ｉを同一極性に保持する時間は１４．６msecである。これに対して、本実施形態の駆動電流波形を採用した場合、図１１（Ａ）、（Ｂ）に示すように、駆動電流Ｉを同一極性に連続して保持する時間を２３msecにまで増加させることができる。これにより、電極の劣化がさらに進行した場合にも対応が可能である。
【０１２１】
［第３実施形態］
以下、本発明の第３実施形態について説明する。
本実施形態のプロジェクションシステムの基本構成は第１実施形態と同一である。また、プロジェクションシステムを構成するプロジェクターの基本構成も第１実施形態と同一である。本実施形態は、放電灯の駆動電流波形が第１実施形態と異なるのみである。
したがって、本実施形態では、プロジェクションシステムおよびプロジェクターの基本構成の説明は省略する。
【０１２２】
例えば、複数の映像期間に跨がって駆動電流が同一極性である期間を有する波形パターンを一つの制御波形ユニットの中で単独で用いてもよい。これに対し、図８に連続区間と記した期間のように、複数の映像期間に跨がって駆動電流が同一極性である期間を有する波形パターンを複数、連続的に用いてもよい。このような連続区間を設けることで、陽極となる側の電極の温度が効果的に上昇し、突起の溶融性を確保することができる。これにより、突起の変形を抑制し、放電灯の長寿命化を図ることができる。
【０１２３】
例えば波形パターンＡ（負）−波形パターンＢ（負）−波形パターンＡ（正）−波形パターンＢ（正）というような基本的な順序で制御を行う場合、一方の極性の波形パターンを入れることで電極の温度が明確に変化する。電極が劣化していない状況では、複数の映像期間に跨がって駆動電流が同一極性である期間を有する波形パターンを単発で用いても、電極の突起を保持する効果が得られる。ところが、電極が劣化して駆動電圧（ランプ電圧）が上昇してきた状況では、駆動電流値が減少し、突起が溶融しにくくなる。突起を溶融させるためには電極の温度を上げる必要がある。また、駆動電流が一方の極性となる期間が長すぎると、陽極時の電極の過度の溶融や陰極時の電極の変形を招く恐れがあるため、駆動電流が一方の極性となる期間の長さには限界がある。
【０１２４】
そこで、適正時間以内で片方の極性に偏った波形パターンを連続的に用いることにより、一方の電極を本体ごと昇温させることができる。これにより、片方の極性に偏った波形パターンを単発で用いた場合に比べて突起の溶融性を高め、放電灯９０の長寿命化を図ることができる。
【０１２５】
駆動電圧（ランプ電圧）と各波形パターンの時間比率との関係の一例を表１に示す。表１中の数字は、１制御波形ユニットにおける時間比率の相対値である。
【０１２６】
【表１】
2014119602.tif 000003
【０１２７】
表１に示すように、例えば駆動電圧（ランプ電圧）が６０Ｖ未満の場合、図１０（Ａ）の波形パターンＡ（負）の時間が１、図１０（Ｃ）の波形パターンＢ（負）の時間が４、図１０（Ｂ）の波形パターンＡ（正）の時間が１、図１０（Ｄ）の波形パターンＢ（正）の時間が４、である。これに対し、例えば駆動電圧が８０Ｖ以上となった場合、図１０（Ａ）の波形パターンＡ（負）の時間が８、図１０（Ｃ）の波形パターンＢ（負）の時間が３２、図１０（Ｂ）の波形パターンＡ（正）の時間が８、図１０（Ｄ）の波形パターンＢ（正）の時間が３２、である。
【０１２８】
このように、駆動電圧の上昇に伴って、駆動電流が同一極性である期間を有する波形パターンを多くする（駆動電流が同一極性である期間を長くする）ことが好ましい。ただし、この例では、駆動電圧が変化しても、波形パターンＡと波形パターンＢとの比率は１：４で固定している。
【０１２９】
［第４実施形態］
以下、本発明の第４実施形態について説明する。
本実施形態のプロジェクションシステムの基本構成は第１実施形態と同一である。また、プロジェクションシステムを構成するプロジェクターの基本構成も第１実施形態と同一である。本実施形態は、放電灯の駆動電流波形が第１実施形態と異なるのみである。
したがって、本実施形態では、プロジェクションシステムおよびプロジェクターの基本構成の説明は省略する。
【０１３０】
第３実施形態では、放電灯の電極の劣化に伴って、同一極性が続く波形パターンＡを多くする（駆動電流が同一極性である期間を長くする）ものの、同一極性が連続する直流波形パターンＡと極性反転する交流波形パターンＢとの比率は一定であった。これに対し、本実施形態では、放電灯の電極の劣化に伴って、同一極性が連続する直流波形パターンＡと極性反転する交流波形パターンＢとの比率を変化させ、１制御波形ユニットの中で直流波形パターンＡの適用期間が占める時間比率を増加させる点が特徴的である。
【０１３１】
駆動電流波形の全体は、波形パターンＡ（負）−波形パターンＢ−波形パターンＡ（正）−波形パターンＢで構成されている。波形パターンＢについては、最初の高輝度期間の極性が負のパターンと正のパターンとが存在するが、これらを適宜組み合わせることができる。
【０１３２】
駆動電圧の変化に応じて、波形パターンの時間比率を変化させる場合の一例を表２に示す。ここでは、駆動電流波形を正負対称としているため、表２は一方の極性の波形パターンＡのみで構成される１制御波形ユニットの中での時間（sec）で示す。また、括弧内は波形パターンの繰り返しサイクル数である。
【０１３３】
【表２】
2014119602.tif 000004
【０１３４】
表２を見ると、例えば駆動電圧が６０Ｖ未満の場合、波形パターンＡの時間が０．０１７sec（１サイクル）、波形パターンＢの時間が１sec（１２０サイクル）、である。これに対し、例えば駆動電圧が８０Ｖ以上となった場合、波形パターンＡの時間が０．０６７sec（４サイクル）、波形パターンＢの時間が０．０２５sec（３サイクル）、である。
【０１３５】
このように、電極の劣化が進み、駆動電圧が高くなるほど、１制御波形ユニットの中で波形パターンＡが占める時間比率を増加させている。波形パターンＡの時間比率が大きくなるほどアーク長が伸び、駆動電流値が低くなった場合でも突起の溶融性を確保することができる。その結果、突起の変形を抑制し、放電灯９０の長寿命化を図ることができる。また、波形パターンＡの時間比率を小さくすることで、駆動電圧が過度に低くなるのを抑制することができる。
【０１３６】
また、波形パターンＡが占める時間比率を単に増加させるのではなく、波形パターンＡを連続的に用いることが望ましい。その場合、反対極性にすることによる放熱ロスが低減されるため、電極の温度をより高めることができる。そのため、上記の効果をより有効に実現することができる。
【０１３７】
［第５実施形態］
以下、本発明の第５実施形態について、図１２を用いて説明する。
本実施形態のプロジェクションシステムの基本構成は第１実施形態と同一である。また、プロジェクションシステムを構成するプロジェクターの基本構成も第１実施形態と同一である。本実施形態は、放電灯の駆動電流波形が第１実施形態と異なるのみである。
したがって、本実施形態では、プロジェクションシステムおよびプロジェクターの基本構成の説明は省略する。
【０１３８】
第４実施形態では、波形パターンＡと波形パターンＢとの時間比率を調整することにより、適切なアーク長となるように電極の温度を調整した。これに対し、本実施形態では、第１高輝度期間の前後に反対極性となる高輝度期間をそれぞれ設け、各高輝度期間の長さを調整することにより、電極の温度を調整する点が特徴的である。
【０１３９】
図１２（Ａ）〜（Ｄ）は、本実施形態の駆動電流波形を構成する波形パターンを示す拡大図である。図１２（Ａ）〜（Ｃ）は反対極性高輝度期間の長さをそれぞれ変えた３種類の波形パターンを示し、図１２（Ｄ）は基本の波形パターンを示す。図１２（Ａ）〜（Ｄ）では連続する同一極性が正である例を示すが、連続する同一極性が負である例も同様に考えられる。
【０１４０】
本実施形態では、図１２（Ｄ）に示すように、駆動電流Ｉが正極性となる第１高輝度期間Ｈ１の直前に負極性となる高輝度期間Ｈｉ１を設け、この負極性高輝度期間Ｈｉ１（第１負極性高輝度期間と称する）の長さをａとする。駆動電流Ｉが正極性となる第２高輝度期間Ｈ２の直後にも負極性となる高輝度期間Ｈｉ２を設け、この負極性高輝度期間Ｈｉ２（第２負極性高輝度期間と称する）の長さをａ‘とする。
【０１４１】
本実施形態では、駆動電圧の変化に応じて、第１負極性高輝度期間の長さａ、第２負極性高輝度期間の長さａ‘をそれぞれ変化させる。その一例を表３に示す。表３中の波形パターンＥ−１は図１２（Ａ）に対応し、波形パターンＥ−２は図１２（Ｂ）に対応し、波形パターンＥ−３は図１２（Ｃ）に対応し、波形パターンＡは第１実施形態の図１０（Ｂ）に対応している。ここでは、波形パターンＥ−１〜Ｅ−３、波形パターンＡを４サイクル、波形パターンＢ（交流）を３サイクルとしている。
【０１４２】
【表３】
2014119602.tif 000005
【０１４３】
表３を見ると、例えば駆動電圧が６０Ｖ未満の場合、第１負極性高輝度期間Ｈｉ１の長さａ、第２負極性高輝度期間Ｈｉ２の長さａ‘がともに３．１msecであり、波形パターンＥ−１を適用する。駆動電圧が６０〜７０Ｖの場合、第１負極性高輝度期間Ｈｉ１の長さａ、第２負極性高輝度期間Ｈｉ２の長さａ‘がともに２．２msecであり、波形パターンＥ−２を適用する。駆動電圧が７０〜８０Ｖの場合、第１負極性高輝度期間Ｈｉ１の長さａ、第２負極性高輝度期間Ｈｉ２の長さａ‘がともに１．４msecであり、波形パターンＥ−３を適用する。駆動電圧が８０Ｖ以上の場合、第１負極性高輝度期間Ｈｉ１の長さａ、第２負極性高輝度期間Ｈｉ２の長さａ‘がともに０である。すなわち、第１負極性高輝度期間Ｈｉ１や第２負極性高輝度期間Ｈｉ２を設けず、波形パターンＡを適用する。
【０１４４】
本実施形態においても、電極が劣化した場合でも突起の溶融性を確保することができ、放電灯の長寿命化が図れる、といった第４実施形態と同様の効果を得ることができる。なお、本実施形態では、第１負極性高輝度期間Ｈｉ１の長さａと第２負極性高輝度期間Ｈｉ２の長さａ‘とを一致させたが、第１負極性高輝度期間Ｈｉ１の長さａと第２負極性高輝度期間Ｈｉ２の長さａ‘とを異ならせてもよい。
【０１４５】
［第１変形例］
上記実施形態において、駆動電圧の変化に伴って、波形パターンＥ−１、波形パターンＥ−２、波形パターンＥ−３、波形パターンＡの時間比率を変化させてもよい。その例を表４に示す。ここでは、波形パターンＥ−１、Ｅ−２、Ｅ−３、Ａを４サイクル、波形パターンＢを３サイクルとしたものを１制御波形ユニットとして、波形パターンＥ−１、Ｅ−２、Ｅ−３、Ａのいずれかを単独で波形パターンＢと組み合わせて繰り返している。
【０１４６】
【表４】
2014119602.tif 000006
【０１４７】
表４に示すように、例えば駆動電圧が６０Ｖ未満の場合、波形パターンＥ−１の時間比率を１００、波形パターンＥ−２の時間比率を１０、波形パターンＥ−３の時間比率を１０、波形パターンＡの時間比率を１、とする。例えば駆動電圧が８０Ｖ以上の場合、波形パターンＥ−１の時間比率を１、波形パターンＥ−２の時間比率を１０、波形パターンＥ−３の時間比率を１０、波形パターンＡの時間比率を１００、とする。
【０１４８】
本変形例においても、電極が劣化した場合でも突起の溶融性を確保することができ、放電灯の長寿命化が図れる、といった上記実施形態と同様の効果を得ることができる。
【０１４９】
［第２変形例］
上記実施形態において、駆動電圧の変化に伴って、１制御波形ユニットの中での波形パターンＥ−１、波形パターンＥ−２、波形パターンＥ−３、波形パターンＡの構成比率を変化させてもよい。その例を表５に示す。ここでは、波形パターンＥ−１、Ｅ−２、Ｅ−３、Ａを合計で１２サイクル、波形パターンＢを４サイクルとしたものを１制御波形ユニットとし、１２サイクル分を波形パターンＥ−１、Ｅ−２、Ｅ−３、Ａで分け合っている。
【０１５０】
【表５】
2014119602.tif 000007
【０１５１】
表５に示すように、例えば駆動電圧が６０Ｖ未満の場合、波形パターンＥ−１の構成比率を９サイクル、波形パターンＥ−２の構成比率を１サイクル、波形パターンＥ−３の構成比率を１サイクル、波形パターンＡの構成比率を１サイクル、とする。例えば駆動電圧が８０Ｖ以上の場合、波形パターンＥ−１の構成比率を１サイクル、波形パターンＥ−２の構成比率を１サイクル、波形パターンＥ−３の構成比率を１サイクル、波形パターンＡの構成比率を９サイクル、とする。
【０１５２】
本変形例においても、電極が劣化した場合でも突起の溶融性を確保することができ、放電灯の長寿命化が図れる、といった上記実施形態と同様の効果を得ることができる。
【０１５３】
なお、本発明の技術範囲は上記実施形態に限定されるものではなく、本発明の趣旨を逸脱しない範囲において種々の変更を加えることが可能である。
例えば上記実施形態で用いた波形パターンＡ，Ｂ，Ｄ，Ｅ等では低輝度期間の部分を直流としたが、交流としてもよい。また、アクティブシャッターメガネによる構成以外に、プロジェクターに右眼用画像、左眼用画像の切り替えに応じて、射出される偏光あるいは波長を変換する装置を設け、メガネは左右それぞれに射出される偏光あるいは波長に応じた光を透過するフィルターを設ける構成としてもよい。この場合には、画像の遷移期間を低輝度期間とすることにより遷移期間に左右の画像が混ざった画像が観察者に届くことを抑制できる。また、プロジェクター各部の具体的な構成は適宜変更が可能である。
【符号の説明】
【０１５４】
４０…制御部、９０…放電灯、２３０…放電灯駆動部、３３０Ｒ，３３０Ｇ，３３０Ｂ…液晶ライトバルブ（光変調素子）、３５０…投写光学系、４００…プロジェクションシステム、４１０…アクティブシャッターメガネ、４１２…右眼用シャッター、４１４…左眼用シャッター、５００…プロジェクター、Ｈ，Ｈ１，Ｈ２，Ｈ３…高輝度期間、Ｌ，Ｌ１，Ｌ２…低輝度期間。
【図１】
2014119602.tif 000008
【図２】
2014119602.tif 000009
【図３】
2014119602.tif 000010
【図４】
2014119602.tif 000011
【図５】
2014119602.tif 000012
【図６】
2014119602.tif 000013
【図７】
2014119602.tif 000014
【図８】
2014119602.tif 000015
【図９】
2014119602.tif 000016
【図１０】
2014119602.tif 000017
【図１１】
2014119602.tif 000018
【図１２】
2014119602.tif 000019